(57)【要約】【課題】  構造の簡素化を確保した上で使用者の安全性の向上を図る。【解決手段】  操作部が配置された装置本体を備え、装置本体の撮影時における被写体側の端面を前面とした場合に、撮像素子の駆動時に発生する熱を放出する放熱部が装置本体の前面より後側に位置され、装置本体に放熱部の少なくとも一部を覆うガード部が設けられた。これにより、放熱部が装置本体の前面より後側に位置された状態でガード部によって覆われるため、使用者の指の放熱部との接触がガード部によって防止され、構造の簡素化を確保した上で使用者の安全性の向上を図ることができる。【選択図】図１
2016225780.tif 000002
【特許請求の範囲】
【請求項１】
操作部が配置された装置本体を備え、
前記装置本体の撮影時における被写体側の端面を前面とした場合に、
撮像素子の駆動時に発生する熱を放出する放熱部が前記装置本体の前記前面より後側に位置され、
前記装置本体に前記放熱部の少なくとも一部を覆うガード部が設けられた
撮像装置。
【請求項２】
前記放熱部と前記撮像素子を有する素子ブロックが設けられ、
前記素子ブロックが前記装置本体に着脱可能とされた
請求項１に記載の撮像装置。
【請求項３】
前記ガード部には前記素子ブロックの着脱時に前記素子ブロックが挿通される挿通孔が形成された
請求項２に記載の撮像装置。
【請求項４】
前記素子ブロックが前記装置本体に取り付けられた状態において前記素子ブロックの少なくとも一部が前記挿通孔に挿入され、
前記ガード部の内周面と前記素子ブロックの外周面との間に隙間が形成された
請求項３に記載の撮像装置。
【請求項５】
前記装置本体に前記放熱部から放出される熱を外部に排出する排出孔が形成された
請求項１に記載の撮像装置。
【請求項６】
前記装置本体に複数の前記排出孔が形成され、
前記排出孔が少なくとも前記素子ブロックを挟んで反対側に位置された
請求項５に記載の撮像装置。
【請求項７】
前記素子ブロックには内部に前記撮像素子を保持するホルダー部が設けられ、
前記放熱部が前記ホルダー部から離隔するに従って外形が小さくなる形状に形成された
請求項２に記載の撮像装置。
【請求項８】
前記放熱部が環状に形成され、
前記放熱部の周方向における全体に放熱フィンが設けられた
請求項１に記載の撮像装置。
【請求項９】
前記放熱部の外側に前記放熱部を覆う覆い部が設けられ、
前記放熱部と前記覆い部が非接触の状態で位置された
請求項１に記載の撮像装置。
【請求項１０】
交換レンズが前記素子ブロックに着脱可能とされた
請求項２に記載の撮像装置。
【請求項１１】
操作部が配置された装置本体と、
撮像素子と前記撮像素子の駆動時に発生する熱を放出する放熱部とを有する素子ブロックとを備え、
前記装置本体の撮影時における被写体側の端面を前面とした場合に、
前記放熱部が前記装置本体の前記前面より後側に位置され、
前記装置本体に前記放熱部の少なくとも一部を覆うガード部が設けられた
撮像装置。
【請求項１２】
前記素子ブロックが前記装置本体に着脱可能とされた
請求項１１に記載の撮像装置。
【請求項１３】
前記ガード部には前記素子ブロックの着脱時に前記素子ブロックが挿通される挿通孔が形成された
請求項１１に記載の撮像装置。
【請求項１４】
前記素子ブロックが前記装置本体に取り付けられた状態において前記素子ブロックの少なくとも一部が前記挿通孔に挿入され、
前記ガード部の内周面と前記素子ブロックの外周面との間に隙間が形成された
請求項１３に記載の撮像装置。
【請求項１５】
前記装置本体に前記放熱部から放出される熱を外部に排出する排出孔が形成された
請求項１１に記載の撮像装置。
【請求項１６】
前記装置本体に複数の前記排出孔が形成され、
前記排出孔が少なくとも前記素子ブロックを挟んで反対側に位置された
請求項１５に記載の撮像装置。
【請求項１７】
前記素子ブロックには内部に前記撮像素子を保持するホルダー部が設けられ、
前記放熱部が前記ホルダー部から離隔するに従って外形が小さくなる形状に形成された
請求項１１に記載の撮像装置。
【請求項１８】
前記放熱部が環状に形成され、
前記放熱部の周方向における全体に放熱フィンが設けられた
請求項１１に記載の撮像装置。
【請求項１９】
前記放熱部の外側に前記放熱部を覆う覆い部が設けられ、
前記放熱部と前記覆い部が非接触の状態で位置された
請求項１１に記載の撮像装置。
【請求項２０】
交換レンズが前記素子ブロックに着脱可能とされた
請求項１１に記載の撮像装置。
【発明の詳細な説明】
【技術分野】
【０００１】
本技術は撮像素子の駆動時に発生する熱を放熱部から放出させる機能を有する撮像装置についての技術分野に関する。
【先行技術文献】
【特許文献】
【０００２】
【特許文献１】特開２００８−２４５１４４号公報
【背景技術】
【０００３】
ビデオカメラやスチルカメラ等の各種の撮像装置は所定の操作部、例えば、シャッター釦やズーム摘子等が配置された装置本体を備えている。
【０００４】
このような撮像装置においてシャッター釦が操作されると、レンズ等の撮像光学系を介して被写体の光学像が撮像素子に取り込まれ、取り込まれた光学像が撮像素子によって光電変換されて画像や映像が生成される。撮像素子は基板上に配置されており、撮像素子の駆動時には撮像素子や基板から熱が発生する。
【０００５】
撮像素子の駆動時に撮像素子や基板から発生する熱は撮像素子の良好な駆動状態に支障を来すおそれがあるため、撮像装置には発生した熱を放出するための放熱部が設けられて撮像素子の温度上昇を抑制するようにしたものがある（例えば、特許文献１参照）。
【０００６】
特許文献１に記載された撮像装置にあっては、レンズユニット（交換レンズ）に基板の背面に接触される伝熱板と伝熱板を覆う伝熱板カバーとが設けられ、カメラ本体（装置本体）に放熱部として機能するヒートシンクとヒートシンクを覆うヒートシンクカバーとが設けられている。伝熱板には凸部が設けられ、伝熱カバーとヒートシンクにはそれぞれ挿入孔が形成され、伝熱カバーが光軸方向へ移動可能にされている。
【０００７】
レンズユニットがカメラ本体から取り外された状態においては、凸部を含む伝熱板の全体が伝熱板カバーに覆われると共にヒートシンクがヒートシンクカバーに覆われている。
【０００８】
レンズユニットがカメラ本体に取り付けられるときには、伝熱板カバーが伝熱板に近付く方向へ移動され、伝熱板の凸部が伝熱板カバーの挿入孔及びヒートシンクカバーの挿入孔に挿入されて凸部の先端面がヒートシンクに接触される。従って、撮像素子の駆動時に発生した熱は伝熱板の凸部からヒートシンクに伝達され、ヒートシンクから装置本体の内部に放出される。
【０００９】
レンズユニットがカメラ本体から取り外されるときには、伝熱板カバーが伝熱板から離隔する方向へ移動されて伝熱板の凸部が各挿入孔から取り出され凸部を含む伝熱板の全体が伝熱板カバーに覆われる。
【００１０】
このように特許文献１に記載された撮像装置にあっては、レンズユニットのカメラ本体への取付時にレンズユニットとカメラ本体の内部において伝熱板の凸部がヒートシンクに接触され、レンズユニットのカメラ本体への非取付時には凸部を含む伝熱板の全体が伝熱板カバーに覆われると共にヒートシンクがヒートシンクカバーに覆われる。
【００１１】
従って、レンズユニットのカメラ本体に対する着脱状態に拘わらず使用者が伝熱板とヒートシンクに触れることがないため、使用者が安全な状態で撮像装置を取り扱うことができるようにされている。
【発明の概要】
【発明が解決しようとする課題】
【００１２】
ところが、特許文献１に記載された撮像装置にあっては、上記のような使用者の安全性を確保するために、伝熱板カバーとヒートシンクカバーが設けられると共に伝熱板カバーを移動させるための移動機構が設けられている。
【００１３】
従って、部品点数が多く撮像装置の構造が複雑になり、製造コストの高騰を来すおそれがある。
【００１４】
そこで、本技術撮像装置は、上記した問題点を克服し、構造の簡素化を確保した上で使用者の安全性の向上を図ることを目的とする。
【課題を解決するための手段】
【００１５】
第１に、本技術に係る撮像装置は、操作部が配置された装置本体を備え、前記装置本体の撮影時における被写体側の端面を前面とした場合に、撮像素子の駆動時に発生する熱を放出する放熱部が前記装置本体の前記前面より後側に位置され、前記装置本体に前記放熱部の少なくとも一部を覆うガード部が設けられたものである。
【００１６】
これにより、放熱部が装置本体の前面より後側に位置された状態でガード部によって覆われる。
【００１７】
第２に、上記した撮像装置においては、前記放熱部と前記撮像素子を有する素子ブロックが設けられ、前記素子ブロックが前記装置本体に着脱可能とされることが望ましい。
【００１８】
これにより、被写体の種類や周囲環境等の撮影態様に応じて所望の種類の素子ブロックを装置本体に着脱して撮影を行うことが可能になる。
【００１９】
第３に、上記した撮像装置においては、前記ガード部には前記素子ブロックの着脱時に前記素子ブロックが挿通される挿通孔が形成されることが望ましい。
【００２０】
これにより、素子ブロックが挿通孔に挿通されて装置本体に着脱される。
【００２１】
第４に、上記した撮像装置においては、前記素子ブロックが前記装置本体に取り付けられた状態において前記素子ブロックの少なくとも一部が前記挿通孔に挿入され、前記ガード部の内周面と前記素子ブロックの外周面との間に隙間が形成されることが望ましい。
【００２２】
これにより、放熱部から放出された熱が隙間から装置本体の外部へ排出される。
【００２３】
第５に、上記した撮像装置においては、前記装置本体に前記放熱部から放出される熱を外部に排出する排出孔が形成されることが望ましい。
【００２４】
これにより、放熱部から放出される熱が排出孔から装置本体の外部へ排出され、装置本体に熱が伝達され難く装置本体が高温になることがない。
【００２５】
第６に、上記した撮像装置においては、前記装置本体に複数の前記排出孔が形成され、前記排出孔が少なくとも前記素子ブロックを挟んで反対側に位置されることが望ましい。
【００２６】
これにより、放熱部から放出された熱が素子ブロックの両側から装置本体の外部に排出される。
【００２７】
第７に、上記した撮像装置においては、前記素子ブロックには内部に前記撮像素子を保持するホルダー部が設けられ、前記放熱部が前記ホルダー部から離隔するに従って外形が小さくなる形状に形成されることが望ましい。
【００２８】
これにより、放熱部の外形の大きさが変化されているため、素子ブロックを把持したときに指が放熱部に接触し難い。
【００２９】
第８に、上記した撮像装置においては、前記放熱部が環状に形成され、前記放熱部の周方向における全体に放熱フィンが設けられることが望ましい。
【００３０】
これにより、放熱フィンから放熱部の外周側に熱が放出される。
【００３１】
第９に、上記した撮像装置においては、前記放熱部の外側に前記放熱部を覆う覆い部が設けられ、前記放熱部と前記覆い部が非接触の状態で位置されることが望ましい。
【００３２】
これにより、放熱部から放出される熱が覆い部に伝達され難い。
【００３３】
第１０に、上記した撮像装置においては、交換レンズが前記素子ブロックに着脱可能とされることが望ましい。
【００３４】
これにより、被写体の種類や被写体の位置や周囲環境等の撮影態様に応じて所望の種類の交換レンズを素子ブロックに着脱して撮影を行うことが可能になる。
【００３５】
第１１に、別の本技術に係る撮像装置は、操作部が配置された装置本体と、撮像素子と前記撮像素子の駆動時に発生する熱を放出する放熱部とを有する素子ブロックとを備え、前記装置本体の撮影時における被写体側の端面を前面とした場合に、前記放熱部が前記装置本体の前記前面より後側に位置され、前記装置本体に前記放熱部の少なくとも一部を覆うガード部が設けられたものである。
【００３６】
これにより、放熱部が装置本体の前面より後側に位置された状態でガード部によって覆われる。
【００３７】
第１２に、上記した撮像装置においては、前記素子ブロックが前記装置本体に着脱可能とされることが望ましい。
【００３８】
これにより、被写体の種類や周囲環境等の撮影態様に応じて所望の種類の素子ブロックを装置本体に着脱して撮影を行うことが可能になる。
【００３９】
第１３に、上記した撮像装置においては、前記ガード部には前記素子ブロックの着脱時に前記素子ブロックが挿通される挿通孔が形成されることが望ましい。
【００４０】
これにより、素子ブロックが挿通孔に挿通されて装置本体に着脱される。
【００４１】
第１４に、上記した撮像装置においては、前記素子ブロックが前記装置本体に取り付けられた状態において前記素子ブロックの少なくとも一部が前記挿通孔に挿入され、前記ガード部の内周面と前記素子ブロックの外周面との間に隙間が形成されることが望ましい。
【００４２】
これにより、放熱部から放出された熱が隙間から装置本体の外部へ排出される。
【００４３】
第１５に、上記した撮像装置においては、前記装置本体に前記放熱部から放出される熱を外部に排出する排出孔が形成されることが望ましい。
【００４４】
これにより、放熱部から放出される熱が排出孔から装置本体の外部へ排出され、装置本体に熱が伝達され難く装置本体が高温になることがない。
【００４５】
第１６に、上記した撮像装置においては、前記装置本体に複数の前記排出孔が形成され、前記排出孔が少なくとも前記素子ブロックを挟んで反対側に位置されることが望ましい。
【００４６】
これにより、放熱部から放出された熱が素子ブロックの両側から装置本体の外部に排出される。
【００４７】
第１７に、上記した撮像装置においては、前記素子ブロックには内部に前記撮像素子を保持するホルダー部が設けられ、前記放熱部が前記ホルダー部から離隔するに従って外形が小さくなる形状に形成されることが望ましい。
【００４８】
これにより、放熱部の外形の大きさが変化されているため、素子ブロックを把持したときに指が放熱部に接触し難い。
【００４９】
第１８に、上記した撮像装置においては、前記放熱部が環状に形成され、前記放熱部の周方向における全体に放熱フィンが設けられることが望ましい。
【００５０】
これにより、放熱フィンから放熱部の外周側に熱が放出される。
【００５１】
第１９に、上記した撮像装置においては、前記放熱部の外側に前記放熱部を覆う覆い部が設けられ、前記放熱部と前記覆い部が非接触の状態で位置されることが望ましい。
【００５２】
これにより、放熱部から放出される熱が覆い部に伝達され難い。
【００５３】
第２０に、上記した撮像装置においては、交換レンズが前記素子ブロックに着脱可能とされることが望ましい。
【００５４】
これにより、被写体の種類や被写体の位置や周囲環境等の撮影態様に応じて所望の種類の交換レンズを素子ブロックに着脱して撮影を行うことが可能になる。
【発明の効果】
【００５５】
本技術によれば、放熱部が装置本体の前面より後側に位置された状態でガード部によって覆われるため、使用者の指の放熱部との接触がガード部によって防止され、構造の簡素化を確保した上で使用者の安全性の向上を図ることができる。
【００５６】
尚、本明細書に記載された効果はあくまでも例示であって限定されるものではなく、他の効果があってもよい。
【図面の簡単な説明】
【００５７】
【図１】図２乃至図１７と共に本技術撮像装置の実施の形態を示すものであり、本図は、装置本体と素子ブロックと交換レンズを示す分解斜視図である。
【図２】装置本体に素子ブロックが取り付けられた状態を交換レンズとともに示す斜視図である。
【図３】装置本体と素子ブロックと交換レンズを示す斜視図である。
【図４】装置本体の背面図である。
【図５】装置本体に素子ブロックが取り付けられた状態を示す側面図である。
【図６】装置本体に素子ブロックが取り付けられた状態を示す正面図である。
【図７】素子ブロックの側面図である。
【図８】素子ブロックの斜視図である。
【図９】覆い部が設けられた例を示す概略拡大断面図である。
【図１０】図１１乃至図１４と共に素子ブロックの変形例を示すものであり、本図は、第１の変形例を示す斜視図である。
【図１１】第２の変形例を示す斜視図である。
【図１２】第３の変形例を示す斜視図である。
【図１３】第４の変形例を示す斜視図である。
【図１４】第５の変形例を示す斜視図である。
【図１５】撮像装置の第１の構成例を示す分解斜視図である。
【図１６】撮像装置の第２の構成例を示す側面図である。
【図１７】ブロック図である。
【発明を実施するための形態】
【００５８】
以下に、本技術を実施するための形態を添付図面を参照して説明する。
【００５９】
以下に示した実施の形態は、本技術撮像装置をスチルカメラに適用したものである。
【００６０】
尚、本技術の適用範囲はスチルカメラに限られることはなく、例えば、ビデオカメラや他の機器に組み込まれるカメラモジュールを含む各種のカメラに広く適用することができる。
【００６１】
以下の説明にあっては、撮影時において撮影者から見た方向で前後上下左右の方向を示すものとする。従って、被写体側が前方となり、撮影者側が後方となる。
【００６２】
尚、以下に示す前後上下左右の方向は説明の便宜上のものであり、本技術の実施に関しては、これらの方向に限定されることはない。
【００６３】
また、以下に示すレンズ群は、単数又は複数のレンズにより構成されたものの他、これらの単数又は複数のレンズと絞りやアイリス等の他の光学素子を含んでもよい。
【００６４】
［撮像装置の構成］
撮像装置１は装置本体２と素子ブロック３によって構成されている（図１乃至図３参照）。尚、撮像装置１は装置本体２と素子ブロック３に加え、交換レンズ４を含めて構成されていてもよい。この場合に、交換レンズ４が素子ブロック３に着脱可能とされていてもよい。
【００６５】
交換レンズ４が素子ブロック３に着脱可能とされることにより、被写体の種類や被写体の位置や周囲環境等の撮影態様に応じて所望の種類の交換レンズ４を素子ブロック３に着脱して撮影を行うことが可能になり、使い勝手の向上及び画質の向上を図ることができる。
【００６６】
装置本体２は筐体５と筐体５の各部に配置された各種の操作部６、６、・・・とを有している。
【００６７】
筐体５は横長の形状に形成された本体部７と本体部７の上側に設けられたフラッシュ取付部８と本体部７の前側に設けられたガード部９とを有している。
【００６８】
本体部７は横長の扁平な略矩形状に形成されたベース部１０とベース部１０の右端部から前方に突出されたホールド部１１とから成る。
【００６９】
ベース部１０の前面側における左方寄りの位置には素子ブロック３を取り付けるための取付部１０ａが設けられている。取付部１０ａは外形が円形状に形成され、取付部１０ａには素子ブロック３が、例えば、バヨネット結合により取り付けられる。ベース部１０の後面には一部を除く位置にディスプレイ１２が配置されている（図４参照）。ベース部１０の一方の側面には開閉可能なカバー１３が配置されている（図５参照）。カバー１３の内側には図示しないイヤホンジャックや接続端子等の各部が設けられている。
【００７０】
ホールド部１１は撮影時に使用者が把持する部分であり、前側の部分から左右両側面に亘る外面が曲面状に形成されている（図１乃至図３参照）。ホールド部１１の前側の部分から左右両側面に亘る外面が曲面状に形成されていることにより、使用者が撮影時に違和感なくホールド部１１を把持することが可能であり、良好な把持性による安定した撮影状態を確保することができる。
【００７１】
フラッシュ取付部８は前端部と後端部がベース部１０からそれぞれ前方と後方に突出された状態で設けられている。フラッシュ取付部８には図示しない発光体（フラッシュユニット）が着脱可能とされている。フラッシュ取付部８の後面にはファインダー窓１４が配置されている（図４参照）。
【００７２】
ガード部９は、図１乃至図３に示すように、略円環状の環状部１５と環状部１５の下端部から後方に突出された連結部１６とを有し、環状部１５の上端部がフラッシュ取付部８の前端部に結合され、連結部１６の後端部がベース部１０の下端部に結合されている。
【００７３】
環状部１５の内側の空間は円形状の挿通孔１５ａとして形成され、挿通孔１５ａの中心が取付部１０ａの中心に前後方向において一致されている（図６参照）。環状部１５の内径は取付部１０ａの外径より一回り大きくされている。環状部１５の左右両側部とベース部１０の間にはそれぞれ左右方向に貫通された空間が形成され、これらの各空間が排出孔１５ｂ、１５ｂとされている（図１乃至図３参照）。
【００７４】
操作部６、６、・・・としては、例えば、電源釦、シャッター釦、ズーム摘子、モード選択釦、モード切替釦等が設けられている。操作部６、６、・・・は、主として、本体部７の上面や後面に設けられている（図１乃至図４参照）。
【００７５】
素子ブロック３はホルダー部１７と着脱部１８と撮像ユニット１９と放熱部２０を有している（図１、図７及び図８参照）。
【００７６】
ホルダー部１７は外形が円形状に形成され、前方に開口された配置凹部１７ａを有している。ホルダー部１７の前端部には交換レンズ４が取り付けられるマウント部１７ｂが設けられている。ホルダー部１７にはリリース摘子２１が配置されている。
【００７７】
着脱部１８はホルダー部１７の外周部を除く部分から後方に突出され、外形がホルダー部１７の径より一回り小さい円形状に形成されている。
【００７８】
撮像ユニット１９はＣＣＤ（Charge Coupled Device）やＣＭＯＳ（Complementary Metal-Oxide Semiconductor）等の撮像素子２２と撮像素子２２を駆動するための基板２３とを有し、基板２３の前面に撮像素子２２が配置されている。撮像ユニット１９はホルダー部１７の配置凹部１７ａに挿入されて配置され、ホルダー部１７によって保持されている。
【００７９】
放熱部２０は着脱部１８の外周側に配置され環状に形成されている。放熱部２０には撮像素子２２の駆動時に発生する熱が伝達される。放熱部２０は、円環状の前側結合部２０ａと、円環状の後側結合部２０ｂと、前側結合部２０ａと後側結合部２０ｂの間に設けられた複数の放熱フィン２０ｃ、２０ｃ、・・・とが一体に形成されて成り、ホルダー部１７より放熱性の高い材料によって形成されていることが望ましい。
【００８０】
前側結合部２０ａはホルダー部１７の直ぐ後側に位置され、外径がホルダー部１７の外径と略同じにされている。後側結合部２０ｂの径は前側結合部２０ａの径より小さくされている。放熱フィン２０ｃ、２０ｃ、・・・は周方向において等間隔の状態で位置されている。
【００８１】
上記のように、放熱部２０は後側結合部２０ｂの径が前側結合部２０ａより径が小さくされているため、ホルダー部１７から離隔するに従って外形が小さくなる形状に形成されている。
【００８２】
素子ブロック３は装置本体２に着脱可能とされている（図１乃至図３参照）。素子ブロック３は着脱部１８が装置本体２の取付部１０ａに、例えば、バヨネット結合により取り付けられる。素子ブロック３の取付部１０ａに対する取付は、素子ブロック３をガード部９の挿通孔１５ａに挿入して着脱部１８を取付部１０ａに押し付け、周方向における一方へ回転することにより行うことができる。素子ブロック３が装置本体２に取り付けられたときには、図示しないロック機構によって素子ブロック３が装置本体２にロックされる。
【００８３】
素子ブロック３が装置本体２に取り付けられた状態においては、放熱部２０がガード部９における環状部１５の前面１５ｃより後側に位置され、放熱部２０の左右にそれぞれ排出孔１５ｂ、１５ｂが位置される（図５参照）。また、素子ブロック３が装置本体２に取り付けられた状態においては、素子ブロック３はホルダー部１７の少なくとも一部がガード部９から前方に突出されている。さらに、素子ブロック３が装置本体２に取り付けられた状態においては、素子ブロック３の外周面とガード部９における環状部１５の内周面との間に隙間２４が形成されている（図６参照）。
【００８４】
素子ブロック３の装置本体２からの取り外しは、装置本体２に設けられた図示しないリリース釦を操作してロックを解除し、素子ブロック３を周方向における他方へ回転し、挿通孔１５ａから取り出すことにより行うことができる。
【００８５】
このとき使用者はガード部９から前方に突出されたホルダー部１７を把持して素子ブロック３を回転する。従って、使用者は放熱部２０以外の部分を把持して素子ブロック３を回転するため、高温になり易い放熱部２０に指が接触せず、安全な状態で素子ブロック３を装置本体２から取り外すことができる。
【００８６】
上記したように、素子ブロック３が装置本体２に着脱可能とされることにより、被写体の種類や周囲環境等の撮影態様に応じて所望の種類の素子ブロック３を装置本体２に着脱して撮影を行うことが可能になり、使い勝手の向上及び画質の向上を図ることができる。特に、素子ブロック３として画素数の多い撮像素子２２を有するものや感度の高い撮像素子２２を有するもの等を用意することにより、被写体の種類に応じて高画質の画像を生成することが可能になる。
【００８７】
尚、素子ブロック３は装置本体２の一部として装置本体２に一体に形成されていてもよく、この場合には素子ブロック３の各部であるホルダー部１７、撮像ユニット１９及び放熱部２０が装置本体２の構成の一部とされる。
【００８８】
交換レンズ４は筒状に形成された外筐２５と外筐２５の内部に配置されたレンズ群２６とを有している（図１乃至図３参照）。交換レンズ４には外筐２５にそれぞれ回転自在に支持されたズームリング２７とフォーカスリング２８が設けられている。ズームリング２７が回転操作されることによりマニュアルズーミングが行われ、フォーカスリング２８が回転操作されることによりマニュアルフォーカシングが行われる。
【００８９】
交換レンズ４の後端部には、素子ブロック３のマウント部１７ｂに、例えば、バヨネット結合されるレンズマウント２９が設けられている。
【００９０】
交換レンズ４の素子ブロック３におけるマウント部１７ｂに対する取付は、レンズマウント２９をマウント部１７ｂに押し付け、交換レンズ４を周方向における一方へ回転することにより行うことができる。交換レンズ４が素子ブロック３に取り付けられたときには、図示しないロック部によって交換レンズ４が素子ブロック３にロックされる。
【００９１】
一方、交換レンズ４の素子ブロック３からの取り外しは、素子ブロック３に設けられたリリース摘子２１を操作してロックを解除し、交換レンズ４を周方向における他方へ回転し、交換レンズ４を素子ブロック３から引き離すことにより行うことができる。
【００９２】
［撮像装置における放熱状態］
上記のように構成された撮像装置１において、静止画撮影モード又は動画撮影モードが設定されると被写体の撮影が可能とされる。撮影時には交換レンズ４のレンズ群２６によって取り込まれた被写体の像が素子ブロック３の撮像素子２２に入射され、撮像素子２２によって光電変換（アナログ／デジタル変換）されて装置本体２の所定の処理部に入力されて画像又は映像が生成される。
【００９３】
撮影時には撮像素子２２の駆動が行われる。撮像素子２２の駆動時には撮像素子２２や基板２３において熱が発生し、発生した熱は放熱部２０に伝達されて放熱部２０から放出される。
【００９４】
このとき素子ブロック３は放熱部２０が環状に形成され、放熱部２０の周方向における全体に放熱フィン２０ｃ、２０ｃ、・・・が設けられているため、複数の放熱フィン２０ｃ、２０ｃ、・・・からそれぞれ外周側に熱が放出され、高い放熱性を確保して撮像素子２２の良好な駆動状態を確保することができる。尚、撮像素子２２の駆動時に発生した熱は、放熱フィン２０ｃ、２０ｃ、・・・に加え前側結合部２０ａと後側結合部２０ｂからも放出される。
【００９５】
また、放熱部２０から放出される熱は、主に、装置本体２に形成された排出孔１５ｂ、１５ｂから装置本体２の外部へ排出される。
【００９６】
このように装置本体２には放熱部２０から放出された熱を排出する排出孔１５ｂ、１５ｂが形成されているため、放熱部２０から放出された熱が排出孔１５ｂ、１５ｂから装置本体２の外部に確実に排出される。従って、装置本体２に熱が伝達され難く装置本体２が高温になることがなく、撮像素子２２及び装置本体２の温度上昇が抑制されて撮像素子２２及び装置本体２の良好な動作状態を確保することができる。
【００９７】
また、装置本体２には素子ブロック３を挟んで反対側に位置された排出孔１５ｂ、１５ｂが形成されているため、放熱部２０から放出された熱が素子ブロック３の両側から装置本体２の外部に排出され、撮像素子２２及び装置本体２の温度上昇が一層抑制されて撮像素子２２及び装置本体２の一層良好な動作状態を確保することができる。
【００９８】
さらに、素子ブロック３が装置本体２に取り付けられた状態においては、素子ブロック３の外周面とガード部９における環状部１５の内周面との間に隙間２４が形成されている（図６参照）。従って、放熱部２０から放出された熱が隙間２４からも装置本体２の外部へ排出され、撮像素子２２及び装置本体２の温度上昇がより一層抑制されて撮像素子２２及び装置本体２のより一層良好な動作状態を確保することができる。
【００９９】
尚、上記には、装置本体２に放熱部２０の左右両側に位置される排出孔１５ｂ、１５ｂが形成された例を示したが、排出孔１５ｂは放熱部２０の周囲の任意の位置に形成されていればよく、例えば、放熱部２０の上方又は下方の少なくとも一方に位置されていてもよい。
【０１００】
［まとめ］
以上に記載した通り、撮像装置１にあっては、撮像素子２２の駆動時に発生する熱を放出する放熱部２０が装置本体２の前面１５ｃより後側に位置され、装置本体２に放熱部２０の少なくとも一部を覆うガード部９が設けられている。
【０１０１】
従って、簡素な構造であるガード部９によって高温になる可能性のある放熱部２０への指の接触が防止されるため、使用者が安全な状態で撮像装置１を取り扱うことができ、構造の簡素化を確保した上で使用者の安全性の向上を図ることができる。
【０１０２】
また、ガード部９には素子ブロック３の装置本体２に対する着脱時に素子ブロック３が挿通される挿通孔１５ａが形成されているため、素子ブロック３が挿通孔１５ａに挿通されて装置本体２に着脱される。従って、ガード部９が素子ブロック３を保護する保護部として機能すると共に素子ブロック３を案内する案内部として機能し、簡素な構成により機能性の向上を図ることができる。
【０１０３】
さらに、素子ブロック３には内部に撮像素子２２を保持するホルダー部１７が設けられ、放熱部２０がホルダー部１７から離隔するに従って外形が小さくなる形状に形成されている。
【０１０４】
従って、放熱部２０の外形の大きさが変化されているため、素子ブロック３を把持したときに指が放熱部２０に接触し難く、素子ブロック３の着脱等の撮像装置１の取り扱い時において使用者の安全性の向上を図ることができる。
【０１０５】
［その他］
上記には、素子ブロック３の表面に露出された放熱部２０の例を示したが、例えば、図９に示すように、覆い部３０の内側に位置された放熱部２０Ｘを設けることも可能である。放熱部２０Ｘの外側には覆い部３０が位置され、覆い部３０の内側に放熱部２０Ｘが覆い部３０と非接触の状態で位置されている。
【０１０６】
このように放熱部２０Ｘの外側に覆い部３０が放熱部２０Ｘと非接触の状態で位置されることにより、放熱部２０Ｘから放出される熱が覆い部３０に伝達され難く、覆い部３０に指が接触したときに熱さを感じ難く、素子ブロック３の着脱作業等の撮像装置１の取り扱い時において使用者の安全性を確保した上で良好な放熱性を確保することができる。
【０１０７】
［放熱部の変形例］
以下に、放熱部の各変形例について説明する（図１０乃至図１４参照）。
【０１０８】
第１の変形例に係る放熱部２０Ａは、図１０に示すように、円環状の前側結合部２０ａと、円環状の後側結合部２０ｂと、前側結合部２０ａと後側結合部２０ｂの間に設けられた複数の放熱フィン２０ｄ、２０ｄ、・・・とが一体に形成されて成り、放熱フィン２０ｄ、２０ｄ、・・・が後方へ行くに従って周方向における一方に変位するように傾斜されている。
【０１０９】
このように放熱フィン２０ｄ、２０ｄ、・・・が周方向において変位するように傾斜されることにより、放熱フィン２０ｄ、２０ｄ、・・・の長さが長くなり、空気の良好な流動状態を確保した上で放熱面積を大きくすることが可能になるため、撮像素子２２の駆動時における放熱性の向上を図ることができる。
【０１１０】
第２の変形例に係る放熱部２０Ｂは、図１１に示すように、前後に離隔して位置された円環状の放熱フィン２０ｅ、２０ｅ、・・・と放熱フィン２０ｅ、２０ｅ、・・・を連結する連結部２０ｆ、２０ｆ、・・・とから成り、放熱フィン２０ｅ、２０ｅ、・・・の径が後方に位置するほど小さくされている。
【０１１１】
このように円環状の放熱フィン２０ｅ、２０ｅ、・・・が設けられることにより、空気の良好な流動状態を確保した上で放熱面積を大きくすることが可能になるため、撮像素子２２の駆動時における放熱性の向上を図ることができる。
【０１１２】
第３の変形例に係る放熱部２０Ｃは、図１２に示すように、前後方向における幅が広くされた環状かつ板状の放熱フィン２０ｇを有している。放熱フィン２０ｇの前後にはそれぞれホルダー部１７と着脱部１８の間にそれぞれ空気が流動される間隙３１、３１が形成されている。
【０１１３】
このように前後方向における幅が広くされた環状の放熱フィン２０ｇが設けられることにより、簡素な構造により撮像素子２２の駆動時における良好な放熱性を確保することができる。
【０１１４】
尚、第３の変形例に係る放熱部２０Ｃにおいては、前後方向における幅が広くされた環状の一つの放熱フィン２０ｇに代えて前後方向において分離された環状の複数の放熱フィンを用いることも可能である。
【０１１５】
第４の変形例に係る放熱部２０Ｄは、図１３に示すように、円環状の前側結合部２０ａと、円環状の後側結合部２０ｂと、前側結合部２０ａと後側結合部２０ｂの間に設けられた格子状の放熱フィン２０ｈとが一体に形成されて成る。
【０１１６】
このように格子状の放熱フィン２０ｈが設けられることにより、空気の良好な流動状態を確保した上で放熱面積を大きくすることが可能になるため、撮像素子２２の駆動時における放熱性の向上を図ることができる。
【０１１７】
第５の変形例に係る放熱部２０Ｅは、図１４に示すように、円環状の前側結合部２０ａと、円環状の後側結合部２０ｂと、前側結合部２０ａと後側結合部２０ｂの間に設けられた網目状の放熱フィン２０ｉとが一体に形成されて成る。
【０１１８】
このように網目状の放熱フィン２０ｉが設けられることにより、空気の良好な流動状態を確保した上で放熱面積を大きくすることが可能になるため、撮像素子２２の駆動時における放熱性の向上を図ることができる。
【０１１９】
尚、上記した放熱部２０、２０Ｘ、２０Ａ、２０Ｂ、２０Ｃ、２０Ｄ、２０Ｅは何れも着脱部１８の外周側に位置されており、放熱部２０、２０Ｘ、２０Ａ、２０Ｂ、２０Ｃ、２０Ｄ、２０Ｅの裏面と着脱部１８の表面との間に空間が存在していることが望ましい。
【０１２０】
放熱部２０、２０Ｘ、２０Ａ、２０Ｂ、２０Ｃ、２０Ｄ、２０Ｅの裏面と着脱部１８の表面との間に空間が存在していることにより、放熱部２０、２０Ｘ、２０Ａ、２０Ｂ、２０Ｃ、２０Ｄ、２０Ｅの裏面も放熱面として機能すると共に空気の流動性が高くなり、放熱性の一層の向上を図ることができる。
【０１２１】
［撮像装置の他の構成例］
以下に、撮像装置の他の構成例について説明する。
【０１２２】
第１の構成例である撮像装置１Ａは装置本体２Ａと素子ブロック３によって構成されている（図１５参照）。尚、撮像装置１Ａは装置本体２Ａと素子ブロック３に加え、交換レンズ４を含めて構成されていてもよい。この場合に、交換レンズ４が素子ブロック３に着脱可能とされていてもよい。また、撮像装置１Ａは装置本体２Ａに素子ブロック３が一体に形成されていてもよく、この場合には素子ブロック３の各部であるホルダー部１７、撮像ユニット１９及び放熱部２０が装置本体２Ａの構成の一部とされる。
【０１２３】
装置本体２Ａは筐体５Ａと筐体５Ａの各部に配置された各種の操作部６、６、・・・とを有している。
【０１２４】
筐体５Ａには環状のガード部９Ａとガード部９Ａの右端に連続されたホールド部１１Ａとを有している。
【０１２５】
ガード部９Ａの内側の空間は円形状の挿通孔１５ａとして形成されている。筐体５Ａには挿通孔１５ａの真後ろの位置に取付部１０ａが設けられている。筐体５Ａには挿通孔１５ａより後側に上下方向に貫通された空間が形成され、これらの各空間が排出孔１５ｂ、１５ｂとされている。
【０１２６】
素子ブロック３が装置本体２Ａに取り付けられた状態においては、放熱部２０がガード部９Ａの前面１５ｃより後側に位置され、放熱部２０の上下にそれぞれ排出孔１５ｂ、１５ｂが位置される。また、素子ブロック３が装置本体２Ａに取り付けられた状態においては、素子ブロック３はホルダー部１７の少なくとも一部がガード部９Ａから前方に突出されている。
【０１２７】
上記のように構成された撮像装置１Ａにおいて、撮像素子２２の駆動時に発生し放熱部２０から放出される熱は、主に、装置本体２Ａに形成された排出孔１５ｂ、１５ｂから装置本体２Ａの外部へ排出される。
【０１２８】
このように装置本体２Ａには放熱部２０から放出された熱を排出する排出孔１５ｂ、１５ｂが形成されているため、放熱部２０から放出された熱が排出孔１５ｂ、１５ｂから装置本体２Ａの外部に確実に排出される。従って、装置本体２Ａに熱が伝達され難く装置本体２Ａが高温になることがなく、撮像素子２２及び装置本体２Ａの温度上昇が抑制されて撮像素子２２及び装置本体２Ａの良好な動作状態を確保することができる。
【０１２９】
また、装置本体２Ａには素子ブロック３を挟んで反対側に位置された排出孔１５ｂ、１５ｂが形成されているため、放熱部２０から放出された熱が素子ブロック３の両側から装置本体２Ａの外部に排出され、撮像素子２２及び装置本体２Ａの温度上昇が一層抑制されて撮像素子２２及び装置本体２Ａの一層良好な動作状態を確保することができる。
【０１３０】
特に、放熱部２０から発生する熱は上方に移動され易いが、上記のように、一方の排出孔１５ｂが放熱部２０の上方に位置されていることにより、放熱部２０から放出される熱の良好の排出性能を確保することができる。
【０１３１】
第２の構成例である撮像装置１Ｂは装置本体２Ｂと素子ブロック３によって構成されている（図１６参照）。尚、撮像装置１Ｂは装置本体２Ｂと素子ブロック３に加え、交換レンズ４を含めて構成されていてもよい。この場合に、交換レンズ４が素子ブロック３に着脱可能とされていてもよい。また、撮像装置１Ｂは装置本体２Ｂに素子ブロック３が一体に形成されていてもよく、この場合には素子ブロック３の各部であるホルダー部１７、撮像ユニット１９及び放熱部２０が装置本体２Ｂの構成の一部とされる。
【０１３２】
装置本体２Ｂは筐体５Ｂと筐体５Ｂの各部に配置された各種の操作部６、６、・・・とを有している。
【０１３３】
筐体５Ｂにはガード部９Ｂとガード部９Ｂから突出した状態で設けられたホールド部１１Ｂとを有している。
【０１３４】
筐体５Ｂには素子ブロック３が挿通される図示しない円形状の挿通孔と素子ブロック３Ｂの放熱部２０から放出される熱を排出する排出孔１５ｂ、１５ｂが形成されている。排出孔１５ｂ、１５ｂは左右に貫通され左右に離隔して位置されている。尚、排出孔１５ｂは放熱部２０の周囲の任意の位置に形成されていればよく、例えば、放熱部２０の上方又は下方の少なくとも一方に位置されていてもよい。
【０１３５】
装置本体２Ｂにはアダプター３２が着脱可能とされている。アダプター３２には、例えば、各種の接続端子３３、３３、・・・が設けられている。接続端子３３、３３、・・・にそれぞれ所定の接続コードを接続することによりアダプター３２を介して撮像装置１Ｂと表示装置等の外部機器との接続が可能とされている。
【０１３６】
アダプター３２にはビューファインダー３４が着脱可能とされている。ビューファインダー３４によって使用者が撮影時に被写体を確実に視認することができる。このようなビューファインダー３４を有する撮像装置１Ｂは、特に、動画撮影用のビデオカメラとして用いることが好適である。
【０１３７】
尚、アダプター３２は撮影時等に必ずしも取り付けられて使用される必要はなく、アダプター３２が使用されない場合には、例えば、ビューファインダー３４が装置本体２Ｂに着脱可能とされていてもよい。
【０１３８】
素子ブロック３が装置本体２Ｂに取り付けられた状態においては、放熱部２０がガード部９Ｂの前面１５ｃより後側に位置され、放熱部２０の左右にそれぞれ排出孔１５ｂ、１５ｂが位置される。また、素子ブロック３が装置本体２Ｂに取り付けられた状態においては、素子ブロック３はホルダー部１７の少なくとも一部がガード部９Ｂから前方に突出されている。
【０１３９】
上記のように構成された撮像装置１Ｂにおいて、撮像素子２２の駆動時に発生し放熱部２０から放出される熱は、主に、装置本体２Ｂに形成された排出孔１５ｂ、１５ｂから装置本体２Ｂの外部へ排出される。
【０１４０】
このように装置本体２Ｂには放熱部２０から放出された熱を排出する排出孔１５ｂ、１５ｂが形成されているため、放熱部２０から放出された熱が排出孔１５ｂ、１５ｂから装置本体２Ｂの外部に確実に排出される。従って、装置本体２Ｂに熱が伝達され難く装置本体２Ｂが高温になることがなく、撮像素子２２及び装置本体２Ｂの温度上昇が抑制されて撮像素子２２及び装置本体２Ｂの良好な動作状態を確保することができる。
【０１４１】
また、装置本体２Ｂには素子ブロック３を挟んで反対側に位置された排出孔１５ｂ、１５ｂが形成されているため、放熱部２０から放出された熱が素子ブロック３の両側から装置本体２Ｂの外部に排出され、撮像素子２２及び装置本体２Ｂの温度上昇が一層抑制されて撮像素子２２及び装置本体２Ｂの一層良好な動作状態を確保することができる。
【０１４２】
［撮像装置の一実施形態］
図１７に、本技術撮像装置の一実施形態のブロック図を示す。
【０１４３】
撮像装置１は、例えば、装置本体２と素子ブロック３を有し、素子ブロック３に交換レンズ４が取り付けられて使用される。
【０１４４】
装置本体２は所定の信号処理を行うカメラ信号処理部５１と、画像信号の記録再生処理を行う画像処理部５２とを有している。また、装置本体２は、撮影された画像等を表示する表示部５３（ディスプレイ１２）と、メモリー６０への画像信号の書込及び読出を行うＲ／Ｗ（リーダ／ライタ）５４と、撮像装置１の全体を制御するＣＰＵ（Central Processing Unit）５５と、使用者によって所要の操作が行われる各種のスイッチ等の操作部５６（操作部６）と、交換レンズ４に設けられたレンズ群２６の駆動を制御するレンズ駆動制御部５７とを有している。
【０１４５】
カメラ信号処理部５１は、撮像素子２２からの出力信号に対するノイズ除去、画質補正、輝度・色差信号への変換等の各種の信号処理を行う。
【０１４６】
画像処理部５２は、所定の画像データフォーマットに基づく画像信号の圧縮符号化・伸張復号化処理や解像度等のデータ仕様の変換処理等を行う。
【０１４７】
表示部５３は使用者の操作部５６に対する操作状態や撮影した画像等の各種のデータを表示する機能を有している。
【０１４８】
Ｒ／Ｗ５４は、画像処理部５２によって符号化された画像データのメモリー６０への書込及びメモリー６０に記録された画像データの読出を行う。
【０１４９】
ＣＰＵ５５は、撮像装置１の各部を制御する制御処理部として機能し、操作部５６からの指示入力信号等に基づいて各部を制御する。
【０１５０】
操作部５６は使用者による操作に応じた指示入力信号をＣＰＵ５５に対して出力する。
【０１５１】
レンズ駆動制御部５７は、ＣＰＵ５５からの制御信号に基づいてレンズ群２６の各レンズを駆動する駆動源を制御する。
【０１５２】
メモリー６０は、例えば、Ｒ／Ｗ５４に接続されたスロットに対して着脱可能な半導体メモリーである。
【０１５３】
以下に、撮像装置１における動作を説明する。
【０１５４】
撮影の待機状態では、ＣＰＵ５５による制御の下で、撮影された画像信号がカメラ信号処理部５１を介して表示部５３に出力され、カメラスルー画像として表示される。また、操作部５６からのズーミングのための指示入力信号が入力されると、ＣＰＵ５５がレンズ駆動制御部５７に制御信号を出力し、レンズ駆動制御部５７の制御に基づいてレンズ群２６の所定のレンズが移動される。
【０１５５】
操作部５６からの指示入力信号により撮影が開始されると、撮影された画像信号がカメラ信号処理部５１から画像処理部５２に出力されて圧縮符号化処理され、所定のデータフォーマットのデジタルデータに変換される。変換されたデータはＲ／Ｗ５４に出力され、メモリー６０に書き込まれる。
【０１５６】
フォーカシングはＣＰＵ５５からの制御信号に基づいてレンズ駆動制御部５７がレンズ群２６の所定のレンズを移動させることにより行われる。
【０１５７】
メモリー６０に記録された画像データを再生する場合には、操作部５６に対する操作に応じて、Ｒ／Ｗ５４によってメモリー６０から所定の画像データが読み出され、画像処理部５２によって伸張復号化処理が行われた後に、再生画像信号が表示部５３に出力されて再生画像が表示される。
【０１５８】
［本技術］
本技術は、以下のような構成にすることもできる。
【０１５９】
（１）
操作部が配置された装置本体を備え、
前記装置本体の撮影時における被写体側の端面を前面とした場合に、
撮像素子の駆動時に発生する熱を放出する放熱部が前記装置本体の前記前面より後側に位置され、
前記装置本体に前記放熱部の少なくとも一部を覆うガード部が設けられた
撮像装置。
【０１６０】
（２）
前記放熱部と前記撮像素子を有する素子ブロックが設けられ、
前記素子ブロックが前記装置本体に着脱可能とされた
前記（１）に記載の撮像装置。
【０１６１】
（３）
前記ガード部には前記素子ブロックの着脱時に前記素子ブロックが挿通される挿通孔が形成された
前記（２）に記載の撮像装置。
【０１６２】
（４）
前記素子ブロックが前記装置本体に取り付けられた状態において前記素子ブロックの少なくとも一部が前記挿通孔に挿入され、
前記ガード部の内周面と前記素子ブロックの外周面との間に隙間が形成された
前記（３）に記載の撮像装置。
【０１６３】
（５）
前記装置本体に前記放熱部から放出される熱を外部に排出する排出孔が形成された
前記（２）から前記（４）の何れかに記載の撮像装置。
【０１６４】
（６）
前記装置本体に複数の前記排出孔が形成され、
前記排出孔が少なくとも前記素子ブロックを挟んで反対側に位置された
前記（５）に記載の撮像装置。
【０１６５】
（７）
前記素子ブロックには内部に前記撮像素子を保持するホルダー部が設けられ、
前記放熱部が前記ホルダー部から離隔するに従って外形が小さくなる形状に形成された
前記（２）から前記（６）の何れかに記載の撮像装置。
【０１６６】
（８）
前記放熱部が環状に形成され、
前記放熱部の周方向における全体に放熱フィンが設けられた
前記（２）から前記（７）の何れかに記載の撮像装置。
【０１６７】
（９）
前記放熱部の外側に前記放熱部を覆う覆い部が設けられ、
前記放熱部と前記覆い部が非接触の状態で位置された
前記（２）から前記（８）の何れかに記載の撮像装置。
【０１６８】
（１０）
交換レンズが前記素子ブロックに着脱可能とされた
前記（２）から前記（９）の何れかに記載の撮像装置。
【０１６９】
（１１）
操作部が配置された装置本体と、
撮像素子と前記撮像素子の駆動時に発生する熱を放出する放熱部とを有する素子ブロックとを備え、
前記装置本体の撮影時における被写体側の端面を前面とした場合に、
前記放熱部が前記装置本体の前記前面より後側に位置され、
前記装置本体に前記放熱部の少なくとも一部を覆うガード部が設けられた
撮像装置。
【０１７０】
（１２）
前記素子ブロックが前記装置本体に着脱可能とされた
前記（１１）に記載の撮像装置。
【０１７１】
（１３）
前記ガード部には前記素子ブロックの着脱時に前記素子ブロックが挿通される挿通孔が形成された
前記（１１）又は前記（１２）に記載の撮像装置。
【０１７２】
（１４）
前記素子ブロックが前記装置本体に取り付けられた状態において前記素子ブロックの少なくとも一部が前記挿通孔に挿入され、
前記ガード部の内周面と前記素子ブロックの外周面との間に隙間が形成された
前記（１３）に記載の撮像装置。
【０１７３】
（１５）
前記装置本体に前記放熱部から放出される熱を外部に排出する排出孔が形成された
前記（１１）から前記（１４）の何れかに記載の撮像装置。
【０１７４】
（１６）
前記装置本体に複数の前記排出孔が形成され、
前記排出孔が少なくとも前記素子ブロックを挟んで反対側に位置された
前記（１５）に記載の撮像装置。
【０１７５】
（１７）
前記素子ブロックには内部に前記撮像素子を保持するホルダー部が設けられ、
前記放熱部が前記ホルダー部から離隔するに従って外形が小さくなる形状に形成された
前記（１１）から前記（１６）の何れかに記載の撮像装置。
【０１７６】
（１８）
前記放熱部が環状に形成され、
前記放熱部の周方向における全体に放熱フィンが設けられた
前記（１１）から前記（１７）の何れかに記載の撮像装置。
【０１７７】
（１９）
前記放熱部の外側に前記放熱部を覆う覆い部が設けられ、
前記放熱部と前記覆い部が非接触の状態で位置された
前記（１１）から前記（１８）の何れかに記載の撮像装置。
【０１７８】
（２０）
交換レンズが前記素子ブロックに着脱可能とされた
前記（１１）から前記（１９）の何れかに記載の撮像装置。
【０１７９】
（２１）
操作部が配置された装置本体に着脱可能とされ、
撮像素子と前記撮像素子を保持するホルダー部と前記撮像素子の駆動時に発生する熱を放出する放熱部とを備えた
素子ブロック。
【０１８０】
（２２）
操作部が配置された装置本体に一体に設けられ、
撮像素子と前記撮像素子を保持するホルダー部と前記撮像素子の駆動時に発生する熱を放出する放熱部とを備えた
素子ブロック。
【符号の説明】
【０１８１】
１…撮像装置、２…装置本体、３…素子ブロック、４…交換レンズ、６…操作部、９…ガード部、１５ａ…挿通孔、１５ｂ…排出孔、１５ｃ…前面、１７…ホルダー部、１９…撮像ユニット、２０…放熱部、２０ｃ…放熱フィン、２２…撮像素子、２４…隙間、２０Ｘ…放熱部、３０…覆い部、２０Ａ…放熱部、２０ｄ…放熱フィン、２０Ｂ…放熱部、２０ｅ…放熱フィン、２０Ｃ…放熱部、２０ｇ…放熱フィン、２０Ｄ…放熱部、２０ｈ…放熱フィン、２０Ｅ…放熱部、２０ｉ…放熱フィン、１Ａ…撮像装置、２Ａ…装置本体、９Ａ…ガード部、１Ｂ…撮像装置、２Ｂ…装置本体、９Ｂ…ガード部、８６…操作部、８９…撮像素子
【図１】
2016225780.tif 000003
【図２】
2016225780.tif 000004
【図３】
2016225780.tif 000005
【図４】
2016225780.tif 000006
【図５】
2016225780.tif 000007
【図６】
2016225780.tif 000008
【図７】
2016225780.tif 000009
【図８】
2016225780.tif 000010
【図９】
2016225780.tif 000011
【図１０】
2016225780.tif 000012
【図１１】
2016225780.tif 000013
【図１２】
2016225780.tif 000014
【図１３】
2016225780.tif 000015
【図１４】
2016225780.tif 000016
【図１５】
2016225780.tif 000017
【図１６】
2016225780.tif 000018
【図１７】
2016225780.tif 000019